(57)【要約】  【課題】３Ｄ／多視点画像に非対応の機器またはアプリケーションソフトで３Ｄ／多視点画像の編集等を行った場合においても、３Ｄ／多視点画像の再生に必要な情報が消えてしまうことを防止する。  【解決手段】複数の視点から見た被写体像を撮影する３Ｄモードであるか、１つの視点から見た被写体像を撮影する２Ｄモードであるかを検出する手段と、３Ｄモードが検出された場合には、多視点画像に対して、前記多視点画像が変更又は削除されないようなプロテクトを設定する手段を備えた。前記記録される多視点画像を消去禁止にするための消去禁止フラグと前記記録される多視点画像を編集禁止にするための編集禁止フラグとにより、前記記録される多視点画像に対して消去禁止と編集禁止とを個別に設定する。【選択図】  図２
2011182418.tif 000002
【特許請求の範囲】
【請求項１】
複数の視点から見た被写体像を撮影する多視点画像撮影モードと、１つの視点から見た被写体像を撮影する１視点画像撮影モードとを切り替える撮影モード切り替え手段と、
前記撮影モード切り替え手段で切り替えられた撮影モードを検出する撮影モード検出手段と、
前記撮影モード切り替え手段で切り替えられた撮影モードで撮影された多視点画像又は１視点画像を取得する撮像手段と、
前記撮像手段で取得された多視点画像又は１視点画像を記録媒体に記録する記録手段と、
前記撮影モード検出手段により前記多視点画像撮影モードが検出された場合には、前記記録手段により記録される多視点画像に対して、前記多視点画像が変更又は削除されないようなプロテクトを設定するプロテクト設定手段と、
を備え、
前記プロテクト設定手段は、前記記録される多視点画像を消去禁止にするための消去禁止フラグと前記記録される多視点画像を編集禁止にするための編集禁止フラグとにより、前記記録される多視点画像に対して消去禁止と編集禁止とを個別に設定可能であることを特徴とする撮像装置。
【請求項２】
前記プロテクト設定手段は、ひとつのフラグにより、前記記録される多視点画像に対して前記多視点画像の消去禁止と編集禁止とを両方設定することも可能であることを特徴とする請求項１に記載の撮像装置。
【請求項３】
前記記録手段に前記多視点画像を含む画像が記録されている場合において、前記画像の中から選択された所望の画像を消去する消去モードを設定する消去モード設定手段と、
前記消去モードが設定されたかどうかを検出する消去モード検出手段と、
前記消去モード検出手段により前記消去モードが検出された場合において、前記所望の画像が前記多視点画像である場合に、前記多視点画像の消去である旨の警告を行う警告手段と、
前記警告手段で警告を行った後で前記多視点画像の選択が決定された場合には、前記選択された多視点画像に設定された前記プロテクトを解除して消去する消去手段と、
を備えたことを特徴とする請求項１または２に記載の撮像装置。
【請求項４】
前記記録手段に前記多視点画像を含む画像が記録されている場合において、前記画像の中から選択された所望の画像を編集する編集モードを設定する編集モード設定手段と、
前記編集モードが設定されたかどうかを検出する編集モード検出手段と、
前記編集モード検出手段により前記編集モードが検出された場合において、前記所望の画像が前記多視点画像である場合に、前記多視点画像の編集である旨の警告を行う警告手段と、
前記警告手段で警告を行った後で前記多視点画像の選択が決定された場合には、前記選択された多視点画像に設定された前記プロテクトを解除するプロテクト解除手段と、
前記プロテクト解除手段でプロテクトが解除された多視点画像を編集する編集手段と、
を備え、
前記記憶手段は、前記編集手段で編集された多視点画像を記録媒体に記録し、前記プロテクト設定手段は、前記記録手段により記録される前記編集された多視点画像に対して、前記多視点画像が変更又は削除されないようなプロテクトを設定することを特徴とする請求項１から３のうちいずれか１項に記載の撮像装置。
【請求項５】
前記記録手段は、前記編集手段で編集された多視点画像を、再度警告を行った後で前記記録手段に記録することを特徴とする請求項４に記載の撮像装置。
【請求項６】
前記撮像手段は、
被写体像を結像する複数の光学系及び撮像素子を有する複数の撮像系と、
前記撮影モード切り替え手段により多視点画像撮影モードに切り替えられた場合には、前記複数の撮像系を駆動し、前記撮影モード切り替え手段により１視点画像撮影モードに切り替えられた場合には、１つの撮像系を駆動する駆動手段と、
前記駆動手段により前記撮像系の駆動が完了したかどうかを検出する駆動検出手段と、
を備え、
前記撮影モード検出手段で前記多視点画像撮影モードが検出され、かつ前記駆動検出手段で前記複数の撮像系が駆動していないことが検出された場合には、前記撮影モード切り替え手段は、前記多視点画像撮影モードから前記１視点画像撮影モードに切り替えを行うことを特徴とする請求項１から５のうちいずれか１項に記載の撮像装置。
【請求項７】
被写体像を縦撮りする状態であるかどうかを検出する縦撮り検出手段を備え、
前記撮影モード切り替え手段により前記多視点画像撮影モードに切り替えられ、かつ前記縦撮り検出手段により被写体像を縦撮りする状態であることが検出された場合には、前記撮影モード切り替え手段は、前記多視点画像撮影モードから前記１視点画像撮影モードに切り替えることを特徴とする請求項１から６のうちいずれか１項に記載の撮像装置。
【請求項８】
被写体像が記録可能な記録媒体が接続される接続手段と、
前記記録媒体が前記接続手段に接続されたことを検出する検出手段と、
前記検出手段で前記記録媒体の接続が検出された場合には、複数の視点から見た被写体像である多視点画像が前記記録媒体に記録されているかどうかを判断する第１の判断手段と、
前記第１の判断手段で前記多視点画像が記録されていると判断された場合には、前記記録されている多視点画像に対して、前記多視点画像が変更又は削除されないようなプロテクトを設定する第１のプロテクト設定手段と、
を備え、
前記第１のプロテクト設定手段は、前記記録される多視点画像を消去禁止にするための消去禁止フラグと前記記録される多視点画像を編集禁止にするための編集禁止フラグとにより、前記記録される多視点画像に対して編集禁止と消去禁止とを個別に設定可能であることを特徴とする画像再生装置。
【請求項９】
前記第１のプロテクト設定手段は、ひとつのフラグにより、前記記録される多視点画像に対して前記多視点画像の編集禁止と消去禁止とを両方設定することも可能であることを特徴とする請求項８に記載の画像再生装置。
【請求項１０】
前記検出手段で前記記録媒体の接続が検出された場合には、前記記録媒体に新たな被写体像が記録可能かどうかを判断する第２の判断手段と、
前記第２の判断手段で前記記録媒体に新たな被写体像が記録できないと判断された場合には、前記記録媒体に対して、前記記録媒体に記録された多視点画像又は１視点画像が変更又は削除されないようなプロテクトを設定する第２のプロテクト設定手段と、
を備えたことを特徴とする請求項８または９に記載の画像再生装置。
【請求項１１】
請求項８から１０のうちいずれか１項に記載の画像再生装置を備えたことを特徴とする請求項１から７のうちいずれか１項に記載の撮像装置。
【請求項１２】
複数の視点から見た被写体像を撮影する多視点画像撮影モードと、１つの視点から見た被写体像を撮影する１視点画像撮影モードとを切り替えるステップと、
前記切り替えられた撮影モードを検出するステップと、
前記切り替えられた撮影モードで撮影された多視点画像又は１視点画像を取得するステップと、
前記取得された多視点画像又は１視点画像を記録媒体に記録するステップと、
前記撮影モードを検出するステップにおいて多視点画像撮影モードが検出された場合には、前記記録される多視点画像に対して、前記多視点画像が変更又は削除されないようなプロテクトを設定するプロテクト設定ステップと、
を備え、
前記プロテクト設定ステップは、前記記録される多視点画像を消去禁止にする場合には消去禁止フラグを設定し、前記記録される多視点画像を編集禁止にする場合には編集禁止フラグを設定することを特徴とする撮像方法。
【請求項１３】
被写体像が記録可能な記録媒体が接続されるステップと、
前記記録媒体が接続されたことを検出するステップと、
前記記録媒体の接続が検出された場合には、複数の視点から見た被写体像である多視点画像が前記記録媒体に記録されているかどうかを判断するステップと、
前記多視点画像が前記記録媒体に記録されているかどうかを判断するステップにおいて前記多視点画像が記録されていると判断された場合には、前記記録されている多視点画像に対して、前記多視点画像が変更又は削除されないようなプロテクトを設定するプロテクト設定ステップと、
を備え、
前記プロテクト設定ステップは、前記記録される多視点画像を消去禁止にする場合には消去禁止フラグを設定し、前記記録される多視点画像を編集禁止にする場合には編集禁止フラグを設定することを特徴とする撮像方法。
【請求項１４】
請求項１２又は１３に記載の撮像方法を演算装置に実行させることを特徴とするプログラム。
【発明の詳細な説明】
【技術分野】
【０００１】
本発明は撮像装置、画像再生装置、撮像方法及びプログラムに係り、特に記録された画像を誤って消去等することを防止する撮像装置、画像再生装置、撮像方法及びプログラムに関する。
【背景技術】
【０００２】
デジタルカメラなどの撮像装置で記録された画像を誤って消去、編集することを防ぐための技術として、以下のようなものが提案されている。
【０００３】
特許文献１には、撮影を行うと、前に撮影された画像に消去プロテクトしてから記録すること等により、撮影された画像の消去プロテクトを自動的に行う技術が記載されている。
【０００４】
特許文献２には、編集されたデータが書きこまれた後で、基となったデータを消去すること等により、撮影された動画像が誤操作によって消去されるのを防止する技術が記載されている。
【０００５】
特許文献３には、標準モードの場合は、同一フォルダ内の同一ファイルの上書きを禁止し、画像データの消去動作を禁止することで、重要画像の消失を防止する技術が記載されている。
【０００６】
特許文献４には、圧縮率を変更したくない圧縮画像データに対して、圧縮率変更を禁止するプロテクトを行うことで、必要な画像の画質の低下や消去を防止する技術が記載されている。
【先行技術文献】
【特許文献】
【０００７】
【特許文献１】特開２００６―４１６９９号公報
【特許文献２】特開２０００―１１５６８５号公報
【特許文献３】特開２０００―２０９５３５号公報
【特許文献４】特開平１１―３０８５６３号公報
【発明の概要】
【発明が解決しようとする課題】
【０００８】
３Ｄ（３次元）／多視点画像に関する標準規格が策定された場合に、上記特許文献１〜４に記載されているような３Ｄ／ 多視点標準規格に対応していない機器やアプリケーションソフトで３Ｄ／多視点画像を編集して保存する場合には、次のような問題が残る可能性がある。
【０００９】
３Ｄ標準規格と従来の規格との互換性を持たせるために、３Ｄ／多視点画像における代表する視点の画像を最初に記録し、それに続いて、新たに導入したタグ（３Ｄ／多視点タグ）と、残りの視点の画像とが記録される形式により、３Ｄ／多視点画像がメモリ等に記録されるとする。このとき、３Ｄ／多視点非対応の機器やアプリケーションソフトで３Ｄ／多視点画像のファイルを読み込むと、３Ｄ／多視点タグ以降のデータは認識されず読み込まれない。この状態でリサイズや回転などを含む編集を行い、編集後の画像を再記録した場合には、３Ｄ／多視点画像の再生に必要なデータが捨てられてしまうことになる。
【００１０】
本発明はこのような事情に鑑みてなされたもので、３Ｄ／多視点画像に非対応の機器またはアプリケーションソフトで３Ｄ／多視点画像の編集等を行った場合においても、３Ｄ／多視点画像の再生に必要な情報が消えてしまうことを防ぐことを目的とする。
【課題を解決するための手段】
【００１１】
本発明は、複数の視点から見た被写体像を撮影する多視点画像撮影モードと、１つの視点から見た被写体像を撮影する１視点画像撮影モードとを切り替える撮影モード切り替え手段と、前記撮影モード切り替え手段で切り替えられた撮影モードを検出する撮影モード検出手段と、前記撮影モード切り替え手段で切り替えられた撮影モードで撮影された多視点画像又は１視点画像を取得する撮像手段と、前記撮像手段で取得された多視点画像又は１視点画像を記録媒体に記録する記録手段と、前記撮影モード検出手段により前記多視点画像撮影モードが検出された場合には、前記記録手段により記録される多視点画像に対して、前記多視点画像が変更又は削除されないようなプロテクトを設定するプロテクト設定手段と、を備え、前記プロテクト設定手段は、前記記録される多視点画像を消去禁止にするための消去禁止フラグと前記記録される多視点画像を編集禁止にするための編集禁止フラグとにより、前記記録される多視点画像に対して消去禁止と編集禁止とを個別に設定可能であることを特徴とする撮像装置を提供する。
【００１２】
この構成によれば、複数の視点から見た被写体像を撮影する多視点画像を撮影する場合は、記録手段に記録される多視点画像に、多視点画像が変更又は削除されないようなプロテクトを設定する。なお、プロテクトの設定は、画像に付属するタグ情報に情報を書き込むことによって行われる。これにより、取得された多視点画像にプロテクトがかけられた状態で記録されるため、３Ｄ／多視点画像に非対応の機器またはアプリケーションソフトを用いて編集等を行った場合においても、３Ｄ／多視点画像の再生に必要な情報が消えてしまうことを防ぐことができる。
【００１３】
一実施形態では、前記記録媒体に前記多視点画像を含む画像が記録されている場合において、前記画像の中から選択された所望の画像を消去する消去モードを設定する消去モード設定手段と、前記消去モードが設定されたかどうかを検出する消去モード検出手段と、前記消去モード検出手段により前記消去モードが検出された場合において、前記所望の画像が前記多視点画像である場合に、前記多視点画像の消去である旨の警告を行う警告手段と、前記警告手段で警告を行った後で前記多視点画像の選択が決定された場合には、前記選択された多視点画像に設定された前記プロテクトを解除して消去する消去手段と、を備えたことを特徴とする。
【００１４】
この構成によれば、記録媒体に記録された多視点画像を含む画像の中から選択された所望の画像を消去する消去モードにおいて、多視点画像が選択された場合には警告を行う。警告後、多視点画像の選択が決定された場合には、多視点画像のプロテクトを解除して、画像を消去する。これにより、多視点画像の消去を実行する前に警告されるため、ユーザーが多視点画像を間違って消去することを防ぐことができる。例えば、プロテクトフラグにより多視点画像を読み出し禁止にしておけば、ユーザーは注意して別ファイル名で３Ｄ／多視点画像をコピーした後で編集を行うことができる。
【００１５】
一実施形態では、前記記録媒体に前記多視点画像を含む画像が記録されている場合において、前記画像の中から選択された所望の画像を編集する編集モードを設定する編集モード設定手段と、前記編集モードが設定されたかどうかを検出する編集モード検出手段と、前記編集モード検出手段により前記編集モードが検出された場合において、前記所望の画像が前記多視点画像である場合に、前記多視点画像の編集である旨の警告を行う警告手段と、前記警告手段で警告を行った後で前記多視点画像の選択が決定された場合には、前記選択された多視点画像に設定された前記プロテクトを解除するプロテクト解除手段と、前記プロテクト解除手段でプロテクトが解除された多視点画像を編集する編集手段と、を備え、前記記憶手段は、前記編集手段で編集された多視点画像を記録媒体に記録し、前記プロテクト設定手段は、前記記録手段により記録される前記編集された多視点画像に対して、前記多視点画像が変更又は削除されないようなプロテクトを設定することを特徴とする。
【００１６】
この構成によれば、記録媒体に記録された多視点画像を含む画像の中から選択された所望の画像を編集する編集モードにおいて、多視点画像が選択された場合には警告を行う。警告後、多視点画像の選択が決定された場合には、多視点画像のプロテクトを解除して、画像を編集する。編集された多視点画像を記録手段に記録し、多視点画像が変更又は削除されないようなプロテクトを設定する。これにより、多視点画像の編集を実行する前に警告されるため、ユーザーが多視点画像を間違って編集することを防ぐことができる。また、編集された画像はプロテクトされるため、編集された画像を適切に保護することができる。
【００１７】
一実施形態では、前記撮像手段は、被写体像を結像する複数の光学系及び撮像素子を有する複数の撮像系と、前記撮影モード切り替え手段により多視点画像撮影モードに切り替えられた場合には、前記複数の撮像系を駆動し、前記撮影モード切り替え手段により１視点画像撮影モードに切り替えられた場合には、１つの撮像系を駆動する駆動手段と、前記駆動手段により前記撮像系の駆動が完了したかどうかを検出する駆動検出手段と、を備え、前記撮影モード検出手段で前記多視点画像撮影モードが検出され、かつ前記駆動検出手段で前記複数の撮像系が駆動していないことが検出された場合には、前記撮影モード切り替え手段は、前記多視点画像撮影モードから前記１視点画像撮影モードに切り替えを行うことを特徴とする。
【００１８】
この構成によれば、多視点画像撮影モードに設定されている場合において、複数の撮影系が駆動しない場合、すなわち多視点画像が撮影できない場合には、多視点画像撮影モードから１視点画像撮影モードに切り替える。これにより、多視点画像が撮影できない場合には、自動的に２次元画像を撮影し、撮影された画像をプロテクトしないように設定することができる。
【００１９】
一実施形態では、被写体像を縦撮りする状態であるかどうかを検出する縦撮り検出手段を備え、前記撮影モード切り替え手段により前記多視点画像撮影モードに切り替えられ、かつ前記縦撮り検出手段により被写体像を縦撮りする状態であることが検出された場合には、前記撮影モード切り替え手段は、前記多視点画像撮影モードから前記１視点画像撮影モードに切り替えることを特徴とする。
【００２０】
この構成によれば、多視点画像撮影モードに設定されている場合において、被写体像を縦撮りする状態である場合、すなわち多視点画像が撮影できない場合には、多視点画像撮影モードから１視点画像撮影モードに切り替える。これにより、多視点画像が撮影できない場合には、自動的に２次元画像を撮影し、撮影された画像をプロテクトしないように設定することができる。
【００２１】
一実施形態では、前記記録手段は、前記編集手段で編集された多視点画像を、再度警告を行った後で前記記録手段に記録することを特徴とする。
【００２２】
この構成によれば、編集された多視点画像を記録手段に記録する前に、再度警告を行う。これにより、多視点画像が編集された場合において、編集された画像を間違って保存することを防ぐことができる。
【００２３】
本発明は、被写体像が記録可能な記録媒体が接続される接続手段と、前記記録媒体が前記接続手段に接続されたことを検出する検出手段と、前記検出手段で前記記録媒体の接続が検出された場合には、複数の視点から見た被写体像である多視点画像が前記記録媒体に記録されているかどうかを判断する第１の判断手段と、前記第１の判断手段で前記多視点画像が記録されていると判断された場合には、前記記録されている多視点画像に対して、前記多視点画像が変更又は削除されないようなプロテクトを設定する第１のプロテクト設定手段と、を備え、前記第１のプロテクト設定手段は、前記記録される多視点画像を消去禁止にするための消去禁止フラグと前記記録される多視点画像を編集禁止にするための編集禁止フラグとにより、前記記録される多視点画像に対して消去禁止と編集禁止とを個別に設定可能であることを特徴とする画像再生装置を提供する。
【００２４】
この構成によれば、被写体像が記録可能な記録媒体が接続された場合において、多視点画像が記録媒体に記録されている場合には、記録されている多視点画像に対して、多視点画像が変更又は削除されないようなプロテクトを設定する。これにより、３Ｄ／多視点画像に対して自動でプロテクトをかけられない機器で撮影された多視点画像に対して、自動でプロテクトをかけることができる。
【００２５】
一実施形態では、前記検出手段で前記記録媒体の接続が検出された場合には、前記記録媒体に新たな被写体像が記録可能かどうかを判断する第２の判断手段と、前記第２の判断手段で前記記録媒体に新たな被写体像が記録できないと判断された場合には、前記記録媒体に対して、前記記録媒体に記録された多視点画像又は１視点画像が変更又は削除されないようなプロテクトを設定する第２のプロテクト設定手段と、を備えたことを特徴とする。
【００２６】
この構成によれば、接続された記録媒体に新たな被写体像が記録できない場合には、記録媒体に対して、記録媒体に記録された多視点画像又は１視点画像などのデータが変更又は削除されないようなプロテクトを設定する。これにより、記録媒体に含まれる多視点画像に対して、２重にプロテクトをかけるため、画像データの保護をより強固にすることができる。
【００２７】
前記撮像装置において、前記画像再生装置を備えたことを特徴とする。
【００２８】
本発明は、複数の視点から見た被写体像を撮影する多視点画像撮影モードと、１つの視点から見た被写体像を撮影する１視点画像撮影モードとを切り替えるステップと、前記切り替えられた撮影モードを検出するステップと、前記切り替えられた撮影モードで撮影された多視点画像又は１視点画像を取得するステップと、前記取得された多視点画像又は１視点画像を記録媒体に記録するステップと、前記撮影モードを検出するステップにおいて多視点画像撮影モードが検出された場合には、前記記録される多視点画像に対して、前記多視点画像が変更又は削除されないようなプロテクトを設定するプロテクト設定ステップと、を備え、前記第１のプロテクト設定手段は、前記記録される多視点画像を消去禁止にするための消去禁止フラグと前記記録される多視点画像を編集禁止にするための編集禁止フラグとにより、前記記録される多視点画像に対して消去禁止と編集禁止とを個別に設定可能であることを特徴とする撮像方法を提供する。
【００２９】
また、本発明は、被写体像が記録可能な記録媒体が接続されるステップと、前記記録媒体が接続されたことを検出するステップと、前記記録媒体の接続が検出された場合には、複数の視点から見た被写体像である多視点画像が前記記録媒体に記録されているかどうかを判断するステップと、前記多視点画像が前記記録媒体に記録されているかどうかを判断するステップにおいて前記多視点画像が記録されていると判断された場合には、前記記録されている多視点画像に対して、前記多視点画像が変更又は削除されないようなプロテクトを設定するプロテクト設定ステップと、を備え、前記第１のプロテクト設定手段は、前記記録される多視点画像を消去禁止にするための消去禁止フラグと前記記録される多視点画像を編集禁止にするための編集禁止フラグとにより、前記記録される多視点画像に対して消去禁止と編集禁止とを個別に設定可能であることを特徴とする撮像方法を提供する。
【００３０】
本発明は、前記撮像方法を演算装置に実行させることを特徴とするプログラムを提供する。
【発明の効果】
【００３１】
本発明によれば、３Ｄ／多視点画像に非対応の機器またはアプリケーションソフトで３Ｄ／多視点画像の編集等を行った場合においても、３Ｄ／多視点画像の再生に必要な情報が消えてしまうことを防ぐことができる。
【図面の簡単な説明】
【００３２】
【図１】本発明が適用された複眼デジタルカメラ１ａのブロック図である。
【図２】プロテクトフラグを設定して、３次元画像の画像データを撮影、記録する第１の実施の形態の処理の流れを示すフローチャートである。
【図３】プロテクトフラグを設定して、３次元画像の画像データを撮影、記録する第２の実施の形態の処理の流れを示すフローチャートである。
【図４】３次元画像が記録されたメモリカードが挿入された場合の処理の流れを示すフローチャートである。
【図５】３次元画像が記録されたメモリカードが挿入された場合の処理の流れを示すフローチャートである。
【図６】３次元画像の消去処理の流れを示すフローチャートである。
【図７】３次元画像の編集処理の流れを示すフローチャートである。
【発明を実施するための形態】
【００３３】
以下、添付図面に従って本発明に係る撮像素子一体型レンズ交換式デジタルカメラを実施するための最良の形態について詳細に説明する。
【００３４】
図１は、複眼デジタルカメラ１の電気的構成を示すブロック図である。複眼デジタルカメラ１は、単視点画像（２次元画像）と、多視点画像（３次元画像）とが撮影可能であり、また、動画、静止画、音声の記録再生が可能である。また、動画、静止画どちらにおいても、単視点画像のみでなく、多視点画像の撮影も可能である。
【００３５】
複眼デジタルカメラ１には、主として、第１撮像系２ａおよび第２撮像系２ｂの２個の撮像系と、ユーザーがこの複眼デジタルカメラ１を使用するときに種々の操作を行うための操作部３と、操作の手助けを行うための操作表示ＬＣＤ４と、レリーズスイッチ５ａ、５ｂと、画像表示ＬＣＤ６とが設けられている。
【００３６】
第１撮像系２ａおよび第２撮像系２ｂは、そのレンズ光軸Ｌ１、Ｌ２が平行となるように、あるいは所定角度をなすように並設されている。
【００３７】
第１撮像系２ａは、レンズ光軸Ｌ１に沿って配列された第１ズームレンズ１１ａ、第１絞り１２ａ、第１フォーカスレンズ１３ａ、および第１イメージセンサ１４ａによって構成されている。第１絞り１２ａには絞り制御部１６ａが接続されており、また、第１イメージセンサ１４ａにはタイミングジェネレータ（ＴＧ）１８ａが接続されている。第１絞り１２ａ、第１フォーカスレンズ１３ａの動作は測光測距ＣＰＵ１９ａによって制御される。ＴＧ１８ａの動作はメインＣＰＵ１０によって制御される。
【００３８】
第１ズームレンズ１１ａは、操作部３からのズーム操作に応じて、レンズ光軸Ｌ１に沿ってＮＥＡＲ側（繰り出し側）、あるいはＩＮＦ側（繰り込み側）に移動し、ズーム倍率を変化させる。この移動は図示しないモータで駆動される。
【００３９】
第１絞り１２ａは、ＡＥ（Auto Exposure）動作時に開口値（絞り値）を変化させて光束を制限し、露出調整を行う。
【００４０】
第１フォーカスレンズ１３ａは、ＡＦ（Auto Focus）動作時にレンズ光軸Ｌ１に沿ってＮＥＡＲ側、あるいはＩＮＦ側に移動されて合焦位置を変え、ピント調整を行う。この移動は図示しないモータで駆動される。静止画用レリーズスイッチ５ａの半押し状態が検出されたとき、メインＣＰＵ１０は第１イメージセンサ１４ａから測距データを得る。メインＣＰＵ１０は得られた測距データに基づいて、ピント、絞りなどの調整を行う。
【００４１】
第１イメージセンサ１４ａは、ＣＣＤ型やＣＭＯＳ型のイメージセンサであり、第１ズームレンズ１１ａ、第１絞り１２ａ、および第１フォーカスレンズ１３ａによって結像された被写体光を受光し、受光素子に受光量に応じた光電荷を蓄積する。第１イメージセンサ１４ａの光電荷蓄積・転送動作は、ＴＧ１８ａによって制御され、ＴＧ１８ａから入力されるタイミング信号（クロックパルス）により、電子シャッター速度（光電荷蓄積時間）が決定される。第１イメージセンサ１４ａは、撮影モード時には、１画面分の画像信号を所定周期ごとに取得する。
【００４２】
第２撮像系２ｂは、第１撮像系２ａと同一の構成であり、第２ズームレンズ１１ｂ、第２絞り１２ｂ、第２フォーカスレンズ１３ｂ、およびタイミングジェネレータ（ＴＧ）１８ｂが接続された第２イメージセンサ１４ｂによって構成されている。
【００４３】
第１撮像系２ａと第２撮像系２ｂの動作はメインＣＰＵ１０によって制御される。第１撮像系２ａと第２撮像系２ｂとは、基本的に連動して動作を行うが、各々個別に動作させることも可能となっている。
【００４４】
第１撮像系２ａと第２撮像系２ｂの第１イメージセンサ１４ａおよび第２イメージセンサ１４ｂから出力された撮像信号は、それぞれＡ／Ｄ変換器３０ａ、３０ｂに入力される。
【００４５】
Ａ／Ｄ変換器３０ａ、３０ｂは、入力された画像データをアナログからデジタルに変換する。Ａ／Ｄ変換器３０ａ、３０ｂを通して、第１イメージセンサ１４ａの撮像信号は第１画像データ（右眼用画像データ）として、第２イメージセンサ１４ｂの撮像信号は第２画像データ（左眼用画像データ）として出力される。
【００４６】
画像信号処理回路３１ａ、３１ｂは、それぞれ、階調変換、ホワイトバランス補正、γ補正処理などの各種画像処理を、Ａ／Ｄ変換器３０ａ、３０ｂから入力された第１画像データおよび第２画像データに施す。
【００４７】
バッファメモリ３２ａ、３２ｂは、画像信号処理回路３１ａ、３１ｂで各種画像処理が施された第１画像データおよび第２画像データを一時的に格納する。バッファメモリ３２ａ、３２ｂに格納された第１画像データおよび第２画像データは、システムバスを介して出力される。
【００４８】
システムバスには、メインＣＰＵ１０、ＥＥＰＲＯＭ２１、ワークメモリ２４ａ、２４ｂ、バッファメモリ３２ａ、３２ｂ、コントローラ３４、ＹＣ処理部３５ａ、３５ｂ、圧縮伸張処理回路３６ａ、３６ｂ、メディアコントローラ３７、縦撮り検出回路５０、縦撮りフラグ設定回路５１、プロテクトフラグ設定回路５２、２Ｄ／３Ｄモード切替フラグ設定回路５３などが接続される。
【００４９】
メインＣＰＵ１０は、複眼デジタルカメラ１の全体の動作を統括的に制御する。メインＣＰＵ１０には、操作部３、レリーズスイッチ５ａ、５ｂ、プロテクト解除スイッチ７、２Ｄ／３Ｄ設定スイッチ８、縦撮り設定ボタン９が接続されている。
【００５０】
操作部３は、複眼デジタルカメラ１を作動させるための電源投入用の電源スイッチ、オート撮影やマニュアル撮影等を選択するためのモードダイヤル、各種のメニューの設定や選択あるいはズームを行うための十字キー、閃光発光用スイッチ、および十字キーで選択されたメニューの実行やキャンセル等を行うための情報位置指定キーなどで構成される。操作部３への適宜操作により、電源のオン／オフ、各種モード（撮影モード、再生モード、消去モード、編集モード等）の切り替え、ズーミングなどが行われる。
【００５１】
レリーズスイッチ５ａ、５ｂは２段押しのスイッチ構造となっている。撮影モード中に、レリーズスイッチ５が軽く押圧（半押し）されると、ＡＦ動作およびＡＥ動作が行われ撮影準備処理がなされる。この状態でさらにレリーズスイッチ５ａ、５ｂが強く押圧（全押し）されると、撮影処理が行われ、１画面分の第１画像データおよび第２画像データがフレームメモリ３２からメモリカード３８に転送されて記録される。
【００５２】
画像表示ＬＣＤ６は、パララックスバリア式、あるいはレンチキュラーレンズ式の３Ｄモニタであり、画像撮影時には電子ビューファインダとして使用され、画像再生時には撮影によって得られた画像データの立体表示を行う。画像表示ＬＣＤ６の詳細な構造は図示しないが、画像表示ＬＣＤ６は、その表面にパララックスバリア表示層を備えている。画像表示ＬＣＤ６は、立体表示を行う際に、パララックスバリア表示層に光透過部と光遮蔽部とが交互に所定のピッチで並んだパターンからなるパララックスバリアを発生させるとともに、その下層の画像表示面に左右の像を示す短冊状の画像断片を交互に配列して表示することで立体視を可能にする。なお、立体視を可能にする表示装置の構成は、スリットアレイシートを用いるパララックス方式に限られる必然性はなく、レンチキュラーレンズシートを用いるレンチキュラー方式、マイクロレンズアレイシートを用いるインテグラルフォトグラフィ方式、干渉現象を用いるホログラフィー方式などが採用されてもよい。
【００５３】
プロテクト解除スイッチ７は、消去、編集などが禁止された画像のプロテクトの解除を指示するためのスイッチである。
【００５４】
２Ｄ／３Ｄ設定スイッチ８は、単視点画像を撮影する２Ｄモードと、多視点画像を撮影する３Ｄモードの切り替えを指示するためのスイッチである。
【００５５】
縦撮り設定ボタン９は、縦撮りまたは横撮りのいずれで撮影を行うかを指示するためのボタンである。なお、メニュー選択をすることによって縦撮り／横撮りを選択するようにしてもよい。
【００５６】
ＥＥＰＲＯＭ２１は、不揮発性メモリであり、各種制御用のプログラムや設定情報などを格納している。メインＣＰＵ１０は、このプログラムや設定情報に基づいて各種処理を実行する。
【００５７】
ワークメモリ２４ａ、２４ｂは、ＹＣ処理部３５ａ、３５ｂで処理されたＹＣ信号をそれぞれ格納する。
【００５８】
コントローラ３４は、ワークメモリ２４ａ、２４ｂに記憶された第１画像データおよび第２画像データのＹＣ信号をＹＣ／ＲＧＢ処理部２２に読み出す。
【００５９】
ＹＣ／ＲＧＢ処理部２２は、第１画像データおよび第２画像データのＹＣ信号を、所定方式の映像信号（例えば、ＮＴＳＣ方式のカラー複合映像信号）に変換した上で、画像表示ＬＣＤ６での立体表示を行うための立体画像データに合成し、表示用のＬＣＤドライバ２３に出力する。撮影モード時に電子ビューファインダとして使用される際には、ＹＣ／ＲＧＢ処理部２２によって合成された立体画像データが、ＬＣＤドライバ２３を介して画像表示ＬＣＤ６にスルー画として表示される。また、撮影によって得られた画像データの立体表示を行う場合には、ＹＣ／ＲＧＢ処理部２２は、メモリカード３８に記録された各画像データがメディアコントローラ３７によって読み出されて、圧縮伸張処理回路３６ａ、３６ｂによって伸張処理が行われたデータを立体画像データに変換し、その立体画像データがＬＣＤドライバ２３を介して再生画像として画像表示ＬＣＤ６に表示される。
【００６０】
ＬＣＤドライバ２３は、ＹＣ／ＲＧＢ処理部２２から出力されたＲＧＢ信号を画像表示ＬＣＤ６に出力する。
【００６１】
ＹＣ処理部３５ａ、３５ｂは、バッファメモリ３２ａ、３２ｂに記憶された画像データを輝度信号（Ｙ信号）及び色差信号（Ｃr,Ｃb 信号）に変換するとともに、ガンマ補正等の所定の処理を施す。
【００６２】
圧縮伸張処理回路３６ａ、３６ｂは、それぞれワークメモリ２４ａ、２４ｂに記憶された第１画像データおよび第２画像データに対して、静止画ではＪＰＥＧ、動画ではＭＰＥＧ２、ＭＰＥＧ４、Ｈ．２６４方式等の所定の圧縮形式に従って圧縮処理を施す。
【００６３】
メディアコントローラ３７は、圧縮伸張処理回路３６ａ、３６ｂによって圧縮処理された各画像データを、Ｉ／Ｆ３９経由で接続されたメモリカード３８やその他の記録メディアに記録させる。
【００６４】
メモリカード３８は、複眼デジタルカメラ１に着脱自在なｘＤピクチャカード（登録商標）、スマートメディア（登録商標）に代表される半導体メモリカード、可搬型小型ハードディスク、磁気ディスク、光ディスク、光磁気ディスク等、種々の記録媒体である。
【００６５】
縦撮り検出回路５０は、重力を利用したセンサーやホール素子、ＭＥＭＳなどを利用したセンサーを用いて、縦撮りまたは横撮りのいずれで撮影を行うかを検出する。
【００６６】
縦撮りフラグ設定回路５１には、縦撮りモードであることを示すフラグが設定される。
【００６７】
プロテクトフラグ設定回路５２には、消去禁止フラグ、編集禁止フラグ、上書き禁止フラグ等が設定される。通常、消去禁止フラグがあれば、消去、上書き、編集を禁止できる。消去禁止フラグの他に、編集禁止フラグ、上書き禁止フラグを個別に設けて設定できるようにすれば、編集を禁止し、編集する場合は別名でコピーしたファイルを編集するようにすることができる。このとき、編集は禁止でも消去は可能であるように設定することにより、ファイルの内容が把握できていれば、消去動作を容易にすることが可能となる。
【００６８】
２Ｄ／３Ｄモード切替フラグ設定回路５３には、２Ｄモードであることまたは３Ｄモードであることを表すフラグが設定される。なお、プロテクトフラグとして、編集禁止フラグ、上書き禁止フラグなど個別に設ける場合のみでなく、１つのフラグで消去、編集、上書き等を全て禁止できるようにしてもよい。
【００６９】
なお、縦撮りフラグ設定回路５１、プロテクトフラグ設定回路５２、２Ｄ／３Ｄモード切替フラグ設定回路５３は、取得された画像ファイル、フォルダ、メモリカード３８等に付属するタグ情報に書き込まれる。
【００７０】
また、複眼デジタルカメラ１には、電源電池６８が着脱可能に設けられている。
【００７１】
電源電池６８は、充電可能な二次電池、例えばニカド電池、ニッケル水素電池、リチウムイオン電池で構成される。電源電池６８は使い切り型の一次電池、例えばリチウム電池、アルカリ電池で構成してもよい。電源電池６８は、図示しない電池収納室に装填することにより、複眼デジタルカメラ１の各回路と電気的に接続される。
【００７２】
充電・発光制御部４３ａ、４３ｂは、電源電池６８からの電力の供給を受けて、それぞれストロボ４４ａ、４４ｂを発光させるために、図示しない閃光発光用のコンデンサを充電し、ストロボ４４ａ、４４ｂの発光を制御する。
【００７３】
充電・発光制御部４３ａ、４３ｂは、レリーズスイッチ５ａ、５ｂの半押し・全押し操作信号等の各種の信号や、発光量、発光タイミングを示す信号を、メインＣＰＵ１０や測光・測距ＣＰＵ１９ａ、１９ｂから取り込んだことに応じて、ストロボ４４ａ、４４ｂへの電流供給制御を行い、所望の発光量が所望のタイミングで得られるように制御する。
【００７４】
なお、図１の複眼デジタルカメラ１においては、２系統の撮像系（第１撮像系２ａおよび第２撮像系２ｂ）を有する例を示すが、撮像系が３個以上あってもよい。また、撮像系
の配置は、横一列でなくても二次元で配置されていてもよい。
【００７５】
また、上述の複眼デジタルカメラ１のように撮像系毎にレリーズボタンを配設するのに代わり、レリーズボタンを１つだけ配設してもよい。
【００７６】
また、図１の複眼デジタルカメラ１は、立体撮影のみでなく、マルチ視点や全方向の撮影も可能である。
【００７７】
上記のように構成された複眼デジタルカメラ１の撮影、記録動作及び再生動作について説明する。
【００７８】
この複眼デジタルカメラ１において、電源ボタン（図示せず）がＯＮ操作されると、メインＣＰＵ１０はこれを検出し、カメラ内電源をＯＮにし、撮影モードで撮影スタンバイ状態にする。また、２Ｄ／３Ｄ設定スイッチ８で２Ｄモードか３Ｄモードのどちらかに設定する。必要に応じて、縦撮り設定ボタン９を押下して、縦撮りに設定する。
【００７９】
この撮影スタンバイ状態では、メインＣＰＵ１０は、通常、以下のようにして画像表示ＬＣＤ６に動画（スルー画）を表示させる。
【００８０】
まず、メインＣＰＵ１０は、２Ｄ／３Ｄモード切替フラグ設定回路５３を参照し、単視点画像（２次元画像）を取得する２Ｄモードか、多視点画像（３次元画像）を取得する３Ｄモードかを検出する。２Ｄモードの場合は第１撮像系２ａのみを駆動し、３Ｄモードの場合は第１撮像系２ａ及び第２撮像系２ｂを駆動する。以下、３Ｄモードを例に説明する。
【００８１】
第１ズームレンズ１１ａ、第２ズームレンズ１１ｂ、第１フォーカスレンズ１３ａ、第２フォーカスレンズ１３ｂが所定位置まで繰り出され、その後第１イメージセンサ１４ａ、第２イメージセンサ１４ｂによってスルー画像用の撮影が行われ、画像表示ＬＣＤ６にスルー画像が表示される。すなわち、第１イメージセンサ１４ａ、第２イメージセンサ１４ｂで連続的に画像が撮像され、その画像信号が連続的に処理されて、スルー画像用の画像データが生成される。生成された画像データは、順次コントローラ３４に加えられ、表示用の信号形式に変換されて、画像表示ＬＣＤ６に出力される。これにより、第１イメージセンサ１４ａ、第２イメージセンサ１４ｂで捉えた画像が画像表示ＬＣＤ６にスルー表示される。
【００８２】
ユーザ（撮影者）は、画像表示ＬＣＤ６に表示されるスルー画を見ながらフレーミングしたり、撮影したい被写体を確認したり、撮影後の画像を確認したり、撮影条件を設定したりする。
【００８３】
上記撮影スタンバイ状態時にレリーズスイッチ５ａ、５ｂが半押しされると、メインＣＰＵ１０にＳ１ＯＮ信号が入力される。メインＣＰＵ１０はこれを検知し、ＡＥ測光、ＡＦ制御を行う。ＡＥ測光時には、第１イメージセンサ１４ａ、第２イメージセンサ１４ｂを介して取り込まれる画像信号の積算値等に基づいて被写体の明るさを測光する。この測光した値（測光値）は、本撮影時における第１絞り１２ａ、第２絞り１２ｂの絞り値、及びシャッター速度の決定に使用される。同時に、検出された被写体輝度より、ストロボの発光が必要かどうかを判断する。同時に、検出された被写体輝度より、ストロボの発光が必要かどうかを判断する。ストロボ４４ａ、４４ｂの発光が必要と判断された場合には、ストロボ４４ａ、４４ｂをプリ発光させ、その反射光に基づいて本撮影時のストロボ４４ａ、４４ｂの発光量を決定する。また、縦撮り検出回路５０で縦撮りか横撮りかを検出する。
【００８４】
レリーズスイッチ５ａ、５ｂが全押しされると、メインＣＰＵ１０にＳ２ＯＮ信号が入力される。メインＣＰＵ１０は、このＳ２ＯＮ信号に応動して、撮影、記録処理を実行する。
【００８５】
まず、メインＣＰＵ１０は、前記測光値に基づいて決定した絞り値に基づいて絞り制御部１６ａ、１６ｂを介して第１絞り１２ａ、第２絞り１２ｂを駆動するとともに、前記測光値に基づいて決定したシャッター速度になるように第１イメージセンサ１４ａ、第２イメージセンサ１４ｂでの電荷蓄積時間（いわゆる電子シャッター）を制御する。
【００８６】
また、メインＣＰＵ１０は、バッファメモリ３２ａ、３２ｂに格納される第１画像データおよび第２画像データの各々からＡＦ評価値およびＡＥ評価値を算出する。ＡＦ評価値は、各画像データの全領域または所定領域（例えば中央部）について輝度値の高周波成分を積算することにより算出され、画像の鮮鋭度を表す。輝度値の高周波成分とは、隣接する画素間の輝度差（コントラスト）を所定領域内について足し合わせたものである。ＡＥ評価値は、各画像データの全領域または所定領域（例えば中央部）について輝度値を積算することにより算出され、画像の明るさを表す。ＡＦ評価値およびＡＥ評価値は、後述する撮影準備処理時に実行されるＡＦ動作およびＡＥ動作においてそれぞれ使用される。
【００８７】
メインＣＰＵ１０は、メインＣＰＵ１０が第１フォーカスレンズ１３ａおよび第２フォーカスレンズ１３ｂを制御してそれぞれ所定方向に移動させながら、順次に得られる第１画像データおよび第２画像データの各々から算出されたＡＦ評価値の最大値を求めることにより、ＡＦ動作（コントラストＡＦ）を行う。
【００８８】
この際、ストロボ４４ａ、４４ｂを発光させる場合は、プリ発光の結果から求めたストロボ４４ａ、４４ｂの発光量に基づいてストロボ４４ａ、４４ｂを発光させる。
【００８９】
被写体光は、第１ズームレンズ１１ａ、第１絞り１２ａ、および第１フォーカスレンズ１３ａを介して第１イメージセンサ１４ａの受光面に入射する。また、第２ズームレンズ１１ｂ、第２絞り１２ｂ、および第２フォーカスレンズ１３ｂを介して第２イメージセンサ１４ｂの受光面に入射する。
【００９０】
第１イメージセンサ１４ａ、第２イメージセンサ１４ｂは、所定のカラーフィルタ配列（例えば、ハニカム配列、ベイヤ配列）のＲ、Ｇ、Ｂのカラーフィルタが設けられたカラーＣＣＤで構成されており、第１イメージセンサ１４ａ、第２イメージセンサ１４ｂの受光面に入射した光は、その受光面に配列された各フォトダイオードによって入射光量に応じた量の信号電荷に変換される。各フォトダイオードに蓄積された信号電荷は、タイミングジェネレータ（ＴＧ）１８ａから加えられるタイミング信号に従って読み出され、電圧信号（画像信号）として第１イメージセンサ１４ａ、第２イメージセンサ１４ｂから順次出力され、Ａ／Ｄ変換器３０ａ、３０ｂに入力される。
【００９１】
Ａ／Ｄ変換器３０ａ、３０ｂは、ＣＤＳ回路及びアナログアンプを含み、ＣＤＳ回路は、ＣＤＳパルスに基づいてＣＣＤ出力信号を相関二重サンプリング処理し、アナログアンプは、メインＣＰＵ１０から加えられる撮影感度設定用ゲインによってＣＤＳ回路から出力される画像信号を増幅する。Ａ／Ｄ変換器３０ａ、３０ｂにおいて、それぞれアナログの画像信号からデジタルの画像信号に変換される。
【００９２】
Ａ／Ｄ変換器３０ａ、３０ｂから出力された第１画像データおよび第２画像データは、それぞれ画像信号処理回路３１ａ、３１ｂで階調変換、ホワイトバランス補正、γ補正処理などの各種画像処理を施され、バッファメモリ３２ａ、３２ｂに一旦蓄えられる。
【００９３】
バッファメモリ３２ａ、３２ｂから読み出されたＲ、Ｇ、Ｂの画像信号は、ＹＣ処理部３５ａ、３５ｂにより輝度信号Ｙと色差信号Ｃｒ、Ｃｂ（ＹＣ信号）に変換され、Ｙ信号は、輪郭補正回路により輪郭強調処理される。ＹＣ処理部３５ａ、３５ｂで処理されたＹＣ信号は、それぞれワークメモリ２４ａ、２４ｂに蓄えられる。
【００９４】
上記のようにしてバッファメモリ３２ａ、３２ｂに蓄えられたＹＣ信号は、圧縮伸張処理回路３６ａ、３６ｂによって圧縮され、所定のフォーマットの画像ファイルとして、Ｉ／Ｆ３９を介してメモリカード３８に記録される。本例の複眼デジタルカメラ１の場合、静止画の２次元画像のデータは、Ｅｘｉｆ規格に従った画像ファイルとしてメモリカード３８に格納される。Ｅｘｉｆファイルは、主画像のデータを格納する領域と、縮小画像（サムネイル画像）のデータを格納する領域とを有している。撮影によって取得された主画像のデータから画素の間引き処理その他の必要なデータ処理を経て、規定サイズ（例えば、１６０×１２０又は８０×６０ピクセルなど）のサムネイル画像が生成される。こうして生成されたサムネイル画像は、主画像とともにＥｘｉｆファイル内に書き込まれる。また、Ｅｘｉｆファイルには、撮影日時、撮影条件、顔検出情報等のタグ情報が付属されている。動画のデータは、ＭＰＥＧ２、ＭＰＥＧ４、Ｈ．２６４方式等の所定の圧縮形式に従って圧縮処理が施されてメモリカード３８に格納される。
【００９５】
メモリカード３８に３次元画像の画像データを記録するときには、プロテクトフラグが画像データに添付されたタグ情報に書き込まれる。プロテクトフラグ等が書き込まれた画像データは、プロテクトが設定された画像ファイルとしてメモリカード３８に格納される（詳細は後述）。また、縦撮り検出回路５０で縦撮りが検出された場合には、縦撮りフラグが画像データに添付されたタグ情報に書き込まれる。なお、２Ｄモードで撮影された場合には、プロテクトフラグは設定されない。
【００９６】
このようにしてメモリカード３８に記録された画像データは、複眼デジタルカメラ１のモードを再生モードに設定することにより、画像表示ＬＣＤ６に再生表示される。再生モードへの移行は、再生ボタン（図示せず）を押下することにより行われる。
【００９７】
再生モードが選択されると、メモリカード３８に記録されている最終コマの画像ファイルがＩ／Ｆ３９を介して読み出される。この読み出された画像ファイルの圧縮データは、圧縮伸張処理回路３６ａ、３６ｂを介して非圧縮のＹＣ信号に伸長される。
【００９８】
伸長されたＹＣ信号は、バッファメモリ３２ａ、３２ｂ（又は図示しないＶＲＡＭ）に保持され、コントローラ３４によって表示用の信号形式に変換されて画像表示ＬＣＤ６に出力される。これにより、画像表示ＬＣＤ６にはメモリカード３８に記録されている最終コマの画像が表示される。
【００９９】
その後、順コマ送りスイッチ（十字キーの右キー）が押されると、順方向にコマ送りされ、逆コマ送りスイッチ（十字キーの左キー）が押されると、逆方向にコマ送りされる。そして、コマ送りされたコマ位置の画像ファイルがメモリカード３８から読み出され、上記と同様にして画像が画像表示ＬＣＤ６に再生される。
【０１００】
画像表示ＬＣＤ６に再生表示された画像を確認しながら、必要に応じて、メモリカード３８に記録された画像を消去することができる。画像の消去は、画像が画像表示ＬＣＤ６に再生表示された状態でフォトモードボタンが押下されることによって行われる。画像の消去については、後で詳述する。
【０１０１】
以上のように、複眼デジタルカメラ１は画像の撮影、記録及び再生を行う。上記説明は、静止画を撮影する場合について説明したが、動画の場合も同様である。動画、静止画の撮影は、個々のレリーズボタンにより制御される。また、動画、静止画のモードセレクトＳＷやメニューにより、動画、静止画の切り替えを行うようにしてもよい。
【０１０２】
＜３次元画像の撮影、記録について＞
プロテクトフラグ設定回路５２を設定して、３次元画像の画像データを撮影、記録する方法について説明する。
【０１０３】
（第１の実施の形態）
図２は、３Ｄモードで画像を撮影し、記録する一連の流れを示すフローチャートである。メインＣＰＵ１０は、このフローチャートに沿って制御を行う。
【０１０４】
撮影指示が入力されたかどうかが判断される（ステップＳ１０）。撮影指示が入力されなかった場合（ステップＳ１０でＮＯ）の場合は、再度ステップＳ１０に戻り、撮影指示が入力された場合（ステップＳ１０でＹＥＳ）は、２Ｄ／３Ｄ設定スイッチ８が３Ｄモードに設定されているか２Ｄモードに設定されているかの検出が行われる（ステップＳ１１）。
【０１０５】
２Ｄ／３Ｄ設定スイッチ８が３Ｄモードに設定されているかどうかが判断される（ステップＳ１２）。２Ｄ／３Ｄ設定スイッチ８が３Ｄモードに設定されている場合（ステップＳ１２でＹＥＳ）には、動作モードを３Ｄモードに切り替え（ステップＳ１３）、２Ｄ／３Ｄ設定スイッチ８が２Ｄモードに設定されている場合（ステップＳ１２でＮＯ）には、撮影モードを２Ｄモードに切り替える（ステップＳ１９）。
【０１０６】
まず、２Ｄモードの場合（ステップＳ１９〜Ｓ２１）について説明する。
【０１０７】
プロテクトフラグ設定回路５２がＯＦＦにされ（ステップＳ２０）、所定の１つの撮像系が駆動され、２次元画像の取得が行われる（ステップＳ２１）。本実施例では、第１撮像系２ａのみが駆動される。
【０１０８】
次に、３Ｄモードの場合（ステップＳ１４〜Ｓ１８）について説明する。
【０１０９】
プロテクトフラグ設定回路５２がＯＮに設定され（ステップＳ１４）、複数の撮像系（第１撮像系２ａ及び第２撮像系２ｂ）の動作テストが行われる（ステップＳ１５）。
【０１１０】
動作テストにおける、複数の撮像系の動作状況が取得され（ステップＳ１６）、複数の撮像系が動作したかどうかが判断される（ステップＳ１７）。複数の撮像系が正常に動作しなかった場合（ステップＳ１７でＮＯ）は、２Ｄモードに切り替えられる（ステップＳ１９）。複数の撮像系が正常に動作した場合（ステップＳ１７でＹＥＳ）は、複数の撮像系が駆動制御されて３次元画像の取得が行われる（ステップＳ１８）。
【０１１１】
次に、ファイル初期化が行われ（ステップＳ２２）、取得された２次元画像または３次元画像の画像データが取り込まれて、メモリカード３８に記録される（ステップＳ２３）。
【０１１２】
撮影が終了したかどうかが判断される（ステップＳ２４）。撮影が終了していないと判断された場合（ステップＳ２４でＮＯ）には、ステップＳ２３で撮影、記録が行われた後、所定の時間が経過しているかどうかが判断される（ステップＳ２５）。所定の時間が経過していない場合（ステップＳ２５でＮＯ）には、再度ステップＳ２５が行われ、所定の時間が経過した場合（ステップＳ２５でＹＥＳ）には、撮影、記録を行うステップ（ステップＳ２３）へ戻る。
【０１１３】
撮影が終了したと判断された場合（ステップＳ２４でＹＥＳ）には、ステップＳ２３で記録された画像データのヘッダ情報が更新される（ステップＳ２６）。すなわち、３Ｄモードで撮影された場合には、ステップＳ１４でＯＮに設定されたプロテクトフラグがヘッダに書き込まれた状態で、取得された３次元画像の画像データがメモリカード３８に記録される。
【０１１４】
上記説明は静止画が撮影された場合で説明したが、動画が撮影された場合も同様である。動画は連続して撮影されているため、動画の撮影時間などの情報を書き込むときに、同時にプロテクトフラグも書き込まれる。
【０１１５】
このように、自動でプロテクトフラグを設定して３次元画像の撮影、記録が行われることにより、３次元画像に対応した機器で撮影された３次元画像を２次元画像のみに対応した機器で編集等を行う場合においても、３次元画像が消去されないよう保護し、また３次元画像の再生に必要な情報が消えてしまうことを防ぐことができる。
【０１１６】
また、３次元画像がプロテクトされているため、ユーザーの不注意や誤動作によっても、３次元画像が消去されないようにすることができる。
【０１１７】
なお、本実施の形態では、３次元画像の場合にはプロテクトフラグをＯＮにしたが、画像ファイルのアクセスフラグを「書込み禁止」として、記録するようにしてもよい。
【０１１８】
（第２の実施の形態）
３次元画像を構成するには、少なくとも左右方向に異なった角度から撮影された２枚の２次元画像が必要である。複眼デジタルカメラ１で縦撮りの画像を撮影する場合には、左右方向に異なった角度からの２次元画像が取得できないため、３次元画像を構成することはできない。
【０１１９】
プロテクトフラグ設定回路５２を設定して３次元画像の画像データを撮影、記録する第２の実施の形態は、３Ｄモードの場合に縦撮りか横撮りかを判断し、縦撮りの場合は、３Ｄモードから２Ｄモードへ切り替えるものである。図３は、３Ｄモードで画像を撮影し、記録する第２の実施の形態の一連の流れを示すフローチャートである。メインＣＰＵ１０は、このフローチャートに沿って制御を行う。なお、第１の実施の形態と同様の部分については、同じ符号を付し、詳細な説明を省略する。
【０１２０】
撮影指示が入力されたかどうかが判断される（ステップＳ１０）。撮影指示が入力されなかった場合（ステップＳ１０でＮＯ）の場合は、再度ステップＳ１０に戻り、撮影指示が入力された場合（ステップＳ１０でＹＥＳ）は、２Ｄ／３Ｄ設定スイッチ８が３Ｄモードに設定されているか２Ｄモードに設定されているかが判断される（ステップＳ１１）。
【０１２１】
２Ｄ／３Ｄ設定スイッチ８が３Ｄモードに設定されているかどうかが判断される（ステップＳ１２）。２Ｄ／３Ｄ設定スイッチ８が３Ｄモードに設定されている場合（ステップＳ１２でＹＥＳ）には、動作モードを３Ｄモードに切り替え（ステップＳ１３）、２Ｄ／３Ｄ設定スイッチ８が２Ｄモードに設定されている場合（ステップＳ１２でＮＯ）には、撮影モードを２Ｄモードに切り替える（ステップＳ１９）。
【０１２２】
２Ｄモードの場合（ステップＳ１９）は、プロテクトフラグ設定回路５２がＯＦＦにされ（ステップＳ２０）、所定の１つの撮像系が駆動され、２次元画像の取得が行われる（ステップＳ２１）。
【０１２３】
３Ｄモードに切り替えた場合（ステップＳ１３）は、プロテクトフラグ設定回路５２がＯＮに設定され（ステップＳ１４）、複数の撮像系（第１撮像系２ａ及び第２撮像系２ｂ）の動作テストが行われる（ステップＳ１５）。
【０１２４】
動作テストにおける、複数の撮像系の動作状況が取得され（ステップＳ１６）、複数の撮像系が動作したかどうかが判断される（ステップＳ１７）。複数の撮像系が正常に動作しなかった場合（ステップＳ１７でＮＯ）は、２Ｄモードに切り替えられる（ステップＳ１９）。
【０１２５】
複数の撮像系が正常に動作した場合（ステップＳ１７でＹＥＳ）は、縦撮りであるかどうかを示す情報が、縦撮り検出回路５０から取得され（ステップＳ２７）、縦撮りの画像を取得する縦撮りモードであるかどうかが判断される（ステップＳ２８）。
【０１２６】
縦撮りモードである場合（ステップＳ２８でＹＥＳ）は、３次元画像が取得できないため、２Ｄモードに切り替えられる（ステップＳ１９）。
【０１２７】
縦撮りモードで無い場合（ステップＳ２８でＮＯ）は、３次元画像の取得が可能であるため、複数の撮像系が駆動制御されて３次元画像の取得が行われる（ステップＳ１８）。
【０１２８】
次に、ファイル初期化を行い（ステップＳ２２）、取得された２次元画像または３次元画像の画像データが取り込まれ、取り込まれた画像データがメモリカード３８に記録される（ステップＳ２３）。
【０１２９】
撮影が終了したかどうかが判断される（ステップＳ２４）。撮影が終了していないと判断された場合（ステップＳ２４でＮＯ）には、ステップＳ２３で撮影、記録が行われた後で所定の時間が経過しているかどうかが判断される（ステップＳ２５）。所定の時間が経過していない場合（ステップＳ２５でＮＯ）場合には、再度ステップＳ２５が行われ、所定の時間が経過した場合（ステップＳ２５でＹＥＳ）には、撮影、記録を行うステップ（ステップＳ２３）へ戻る。
【０１３０】
撮影が終了したと判断された場合（ステップＳ２４でＹＥＳ）には、ステップＳ２３で記録された画像データのヘッダ情報が更新される（ステップＳ２６）。すなわち、３Ｄモードで撮影された場合には、ステップＳ１４でＯＮに設定されたプロテクトフラグがヘッダに書き込まれる。
【０１３１】
なお、上記の説明において、縦撮りの場合は、１個の撮像系による撮影としているが、撮像系を最大数より減らして撮影するように構成してもよい。
【０１３２】
このように、自動でプロテクトフラグを設定して３次元画像の撮影、記録が行われることにより、３次元画像に対応した機器で撮影された３次元画像を２次元画像のみに対応した機器で編集等を行う場合においても、３次元画像が消去されないよう保護することができる。
【０１３３】
また、３次元画像がプロテクトされているため、ユーザーの不注意や誤動作によっても、３次元画像が消去されないようにすることができる。
【０１３４】
また、３Ｄモードになっている場合においても、縦撮りなど３次元画像が取得できない場合には、自動的に２Ｄモードに切り替えてプロテクトフラグをＯＦＦにすることができ
る。これにより、画像データに無駄にプロテクトをかけることを防ぐことができる。
【０１３５】
＜３次元画像が記録されたメモリカードが接続された場合について＞
２次元画像や３次元画像が記録されたメモリカード３８が、複眼デジタルカメラ１に接続された場合について説明する。
【０１３６】
上記のような複眼デジタルカメラ１で撮影された３次元画像は、画像の記録と同時に自動的にプロテクトがかけられているが、自動的にプロテクトをかけられない複眼デジタルカメラで撮影された３次元画像に対しても、プロテクトがかけられるようにすることが望ましい。
【０１３７】
以下、プロテクトされていない３次元画像に対しても、自動的にプロテクトをかける方法について説明する。
【０１３８】
（第１の実施の形態）
図４は、複眼デジタルカメラ１のカードスロットルにメモリカード３８が挿入されるなどの方法により、メモリカード３８が複眼デジタルカメラ１に接続された場合の処理の流れを示すフローチャートである。メインＣＰＵ１０は、このフローチャートに沿って制御を行う。
【０１３９】
まず、メニュー選択などにより、３次元画像に対してプロテクトをかける旨の指示がされたかどうかが判断される（ステップＳ３０）。３次元画像に対してプロテクトをかけない場合（ステップＳ３０でＮＯ）には、処理が終了される。３次元画像に対してプロテクトをかける場合（ステップＳ３０でＹＥＳ）には、メモリカード３８がカードスロットルに挿入されたかどうかが判断される（ステップＳ３１）。なお、ステップＳ３０の処理を省き、カードが挿入された場合には全てプロテクトをかけるようにすることもできる。ただし、３次元画像にプロテクトをかけるかどうか選択できるようにしておくことで、ユーザーの選択の自由度を増すことができる。
【０１４０】
メモリカード３８がカードスロットルに挿入されていない場合（ステップＳ３１でＮＯ）には、再度ステップＳ３１が行われる。
【０１４１】
メモリカード３８がカードスロットルに挿入された場合（ステップＳ３１でＹＥＳ）には、メモリカード３８に画像があるかどうかが判断される（ステップＳ３２）。
【０１４２】
メモリカード３８に画像がない場合（ステップＳ３２でＮＯ）には、処理が終了される。
【０１４３】
メモリカード３８に画像がある場合（ステップＳ３２でＹＥＳ）には、その画像に３次元画像が含まれているかどうかが判断される（ステップＳ３３）。
【０１４４】
３次元画像が含まれていない場合（ステップＳ３３でＮＯ）には、処理が終了される。
【０１４５】
３次元画像が含まれている場合（ステップＳ３３でＹＥＳ）には、その３次元画像に対してプロテクトフラグがＯＮに設定され（ステップＳ３４）、プロテクトフラグがヘッダに書き込まれる（ステップＳ３５）。
【０１４６】
そして、メモリカード３８に含まれる全ての３次元画像に対して、プロテクトフラグをＯＮにしてヘッダに書き込む処理（ステップＳ３４、Ｓ３５）が行われたかどうかが判断される（ステップＳ３６）。
【０１４７】
全ての３次元画像に対してステップＳ３４、Ｓ３５の処理が終了していない場合（ステップＳ３６でＮＯ）には、再度ステップＳ３４、Ｓ３５の処理が行われる。
【０１４８】
全ての３次元画像に対してステップＳ３４、Ｓ３５の処理が終了した場合（ステップＳ３６でＹＥＳ）には、処理が終了される。
【０１４９】
上記処理（ステップＳ３０〜Ｓ３６）が終了したら、全ての処理を終了してもよいし、上述したプロテクトフラグ設定回路５２を設定して、３次元画像の画像データを撮影、記録する処理を行なうようにしてもよい。
【０１５０】
このように、３次元画像を含むカードが挿入された場合に、その３次元画像にプロテクトをすることにより、３Ｄ／多視点画像に対して自動でプロテクトをかけられない機器で撮影された多視点画像に対しても、自動的にプロテクトをかけることができる。
【０１５１】
本実施の形態では、メモリカードの挿入を検知し、挿入されていれば画像データ、ファイルがあるかどうかを検知したが、最初に３次元画像のデータ、ファイルを全て検索して、その検索情報に基づいて、フラグの書き換えを行うようにしてもよい。
【０１５２】
また、本実施の形態では、全ての３次元画像に対してプロテクトをかけた（ステップＳ３４）が、その３次元画像に添付されているタグ情報を調べて、既にプロテクトされている３次元画像にはプロテクトをかけず、プロテクトされていない３次元画像に対してのみプロテクトをかけるようにしてもよい。
【０１５３】
また、本実施の形態では、メモリカードの挿入を検知し、メモリカードに記録されている３次元画像にプロテクトをかけたが、メモリカードに限らず、複眼デジタルカメラに接続されるＰＣや、ＬＡＮ等を介して接続されるサーバなどに記録されている３次元画像に対しても適用可能である。この場合には、複眼デジタルカメラがＰＣやネットワーク上のサーバに接続されたことを検出し、その後ステップＳ３２〜Ｓ３６の処理を行なうようにすればよい。
【０１５４】
（第２の実施の形態）
プロテクトされていない３次元画像に対しても、自動的にプロテクトをかける第１の実施の形態は、メモリカード３８で検索された３次元画像に対してプロテクトフラグを設定するものであったが、３次元画像にプロテクトをかける方法は、画像データ毎にプロテクトフラグを設定する方法のみに限られない。
【０１５５】
３次元画像に対して自動的にプロテクトをかける第２の実施の形態は、３次元画像が記録されたメモリカード自体にプロテクトをかけるものである。図５は、３次元画像に対して自動的にプロテクトをかける第２の実施の形態の一連の流れを示すフローチャートである。メインＣＰＵ１０は、このフローチャートに沿って制御を行う。なお、第１の実施の形態と同様の部分については、同じ符号を付し、詳細な説明を省略する。
【０１５６】
メモリカード３８がカードスロットルに挿入されたかどうかが判断される（ステップＳ３１）。メモリカード３８がカードスロットルに挿入されていない場合（ステップＳ３１でＮＯ）には、再度ステップＳ３１が行われる。
【０１５７】
メモリカード３８がカードスロットルに挿入された場合（ステップＳ３１でＹＥＳ）には、メモリカード３８の残容量が検出され（ステップＳ３７）、新しく撮影された画像が記録可能な残容量がメモリカード３８にあるかどうかが判断される（ステップＳ３８）。
【０１５８】
メモリカード３８に新しく撮影された画像が記録可能な残容量がある場合（ステップＳ３８でＮＯ）には、処理が終了される。
【０１５９】
メモリカード３８に新しく撮影された画像が記録可能な残容量がない場合（ステップＳ３２でＹＥＳ）には、メモリカード３８全体にプロテクトをかける設定を行うかどうかが判断される（ステップＳ３９）。
【０１６０】
メモリカード３８全体にプロテクトをかけない場合（ステップＳ３９でＮＯ）には、メモリカード３８の容量がなくなった旨の警告表示が行われ（ステップＳ４３）、その後処理が終了される。
【０１６１】
メモリカード３８全体にプロテクトをかける場合（ステップＳ３９でＹＥＳ）には、メモリカード３８内に３次元画像があるかどうかが判断される（ステップＳ４０）。
【０１６２】
メモリカード３８内に３次元画像がない場合（ステップＳ４０でＮＯ）には、メモリカード３８の容量がなくなった旨の警告表示が行われ（ステップＳ４３）、その後処理が終了される。
【０１６３】
メモリカード３８内に３次元画像がある場合（ステップＳ４０でＹＥＳ）には、メモリカード全体のプロテクトフラグがＯＮに設定され（ステップＳ４１）、メモリカード３８に添付されたタグ情報等にプロテクトフラグが書き込まれる（ステップＳ４２）。
【０１６４】
その後、メモリカード３８の容量がなくなった旨の警告表示が行われ（ステップＳ４３）、処理が終了される。
【０１６５】
上記処理（ステップＳ３１、Ｓ３７〜Ｓ４３）が終了したら、全ての処理を終了してもよいし、上述したプロテクトフラグ設定回路５２を設定して、３次元画像の画像データを撮影、記録する処理を行なうようにしてもよい。
【０１６６】
このように、３次元画像が記録された記録媒体全体にプロテクトをかけることにより、３Ｄ／多視点画像に対して自動でプロテクトをかけられない機器で撮影された多視点画像に対しても、自動的にプロテクトをかけることができる。
【０１６７】
また、記録媒体に含まれる３次元画像にプロテクトフラグが設定されている場合には、画像に対するプロテクトと、記録媒体に対するプロテクトとの２重のプロテクトがかけられているため、画像データの保護をよい強固にすることができる。
【０１６８】
なお、警告の方法は、メッセージを画面に表示するテキスト表示以外に、音声、アラームなどを用いてもよい。
【０１６９】
また、本実施の形態では、メモリカードの挿入を検知し、メモリカード全体にプロテクトをかけたが、メモリカードに限らず、複眼デジタルカメラに接続されるＰＣや、ＬＡＮ等を介して接続されるサーバ上の画像フォルダに対しても適用可能である。この場合には、複眼デジタルカメラがＰＣやネットワーク上のサーバに接続されたことを検出し、ＰＣやサーバ上に画像フォルダがあるかどうかを検出し、その後ステップＳ４０〜Ｓ４２の処理を行なうようにすればよい。
【０１７０】
＜３次元画像の消去、編集について＞
メモリカード３８に記録され、プロテクトフラグが設定された３次元画像の消去、編集について説明する。
【０１７１】
３次元画像の保護のため３次元画像にはプロテクトフラグが設定されているため、このままでは画像の消去、編集を行うことはできない。しかし、ユーザーがそのことを認識している場合において、画像の消去、編集が必要な場合には、その処理が可能な状態にする必要がある。
【０１７２】
以下、プロテクトフラグが設定された３次元画像の消去、編集の方法について説明する。
【０１７３】
（３次元画像を消去する場合）
図６は、３次元画像の消去処理の流れを示すフローチャートである。この処理を行うには、プロテクト解除スイッチ７を用いて、プロテクトフラグが設定された３次元画像を消去可能にする消去許可モードをあらかじめ設定しておく必要がある。メインＣＰＵ１０は、このフローチャートに沿って制御を行う。
【０１７４】
複眼デジタルカメラ１の動作モードが、２次元画像や３次元画像の消去を行う動作モードである消去モードに設定されているかどうかが判断される（ステップＳ５０）。
【０１７５】
消去モードに設定されていない場合（ステップＳ５０でＮＯ）には、処理が終了される。
【０１７６】
消去モードに設定されている場合（ステップＳ５０でＹＥＳ）には、消去したい画像が選択され（ステップＳ５１）、その画像の消去を警告する旨のメッセージが表示される（ステップＳ５２）。画像の選択は、画像表示ＬＣＤ６に消去したい画像が表示された状態で情報位置指定キーが押下されることによって行われる。また、画像消去の警告は、メインＣＰＵ１０が画像表示ＬＣＤ６にコントローラ３４を介して「この写真を消去してよろしいですか」等の画像消去を伝えるメッセージを、画像に重ねて表示することによって行われる。なお、警告は、上記のようなテキスト表示以外に、音声などを用いてもよい。
【０１７７】
次に、選択された画像が３次元画像であるかどうかが判断される（ステップＳ５３）。選択された画像が３次元画像で無い場合（ステップＳ５３でＮＯ）は、２次元画像を消去するステップ（ステップＳ６３〜Ｓ６５）へ進む。
【０１７８】
選択された画像が３次元画像である場合（ステップＳ５３でＹＥＳ）は、その３次元画像に消去許可フラグが設定されているかどうかが検出される（ステップＳ５４）。消去許可フラグとは、プロテクトフラグが設定された３次元画像を消去可能にする消去許可モードが設定されている場合にのみ設定されるフラグであり、プロテクトフラグが設定されている３次元画像毎に設定されるものである。
【０１７９】
選択された３次元画像に消去許可フラグが設定されているかどうか、すなわちステップＳ５４で消去許可フラグが検出されたかどうかが判断される（ステップＳ５５）。
【０１８０】
消去許可フラグが設定されていない場合（ステップＳ５５でＮＯ）には、消去許可モードが設定されていない、すなわちその３次元画像は消去できないため、画像の消去が不可であることを警告する旨のメッセージが表示され（ステップＳ５６）、処理が終了される。
【０１８１】
消去許可フラグが設定されている場合（ステップＳ５５でＹＥＳ）には、３次元画像の消去を警告する旨のメッセージが表示され（ステップＳ５７）、ユーザーにより消去指令が入力されたかどうかが検出される（ステップＳ５８）。消去指令の入力は、情報位置指定キーが押下されることによって行われる。
【０１８２】
消去指令の入力により、画像の消去が可能となったかどうかが判断される（ステップＳ５９）。消去が可能で無い場合（ステップＳ５９でＮＯ）には、再度ユーザーにより消去指令が入力されたかどうかの検出が行われる（ステップＳ５８）。
【０１８３】
画像の消去が可能となった場合（ステップＳ５９でＹＥＳ）には、３次元画像のプロテクトフラグの設定を解除して（ステップＳ６０）、消去処理を行う（ステップＳ６１）。プロテクトフラグの解除は、システムコールにより行われる。また、消去処理は、Ｉ／Ｆ３９を介してメモリカード３８に記録された画像ファイルを消去することによって行われる。
【０１８４】
２次元画像を消去するステップ（ステップＳ６３〜Ｓ６５）では、２次元画像の消去を警告する旨のメッセージが表示され（ステップＳ６３）、ユーザーにより消去指令が入力されたかどうかが検出される（ステップＳ６４）。消去指令の入力は、情報位置指定キーが押下されることによって行われる。
【０１８５】
消去指令の入力により、画像の消去が可能となったかどうかが判断される（ステップＳ６５）。消去が可能で無い場合（ステップＳ６５でＮＯ）には、再度ユーザーにより消去指令が入力されたかどうかの検出が行われる（ステップＳ６４）。
【０１８６】
画像の消去が可能となった場合（ステップＳ６５でＹＥＳ）には、消去処理を行う（ステップＳ６１）。消去処理は、Ｉ／Ｆ３９を介してメモリカード３８に記録された画像ファイルを消去することによって行われる。
【０１８７】
上記処理（ステップＳ５０〜Ｓ６５）が終了したら、全ての処理を終了してもよいし、再度消去処理を行なうようにしてもよいし、撮影モードに自動的に移行するようにしてもよい。
【０１８８】
これにより、３次元画像の消去を実行する前に警告が行われるため、ユーザーが３次元画像を間違って消去することを防ぐことができる。
【０１８９】
また、３次元画像に対応した機器で、画像の消去を許す設定になっていれば、３次元画像の消去が行えるので、消去してもよいことがわかっている３次元画像は消去可能であるので、不要なファイルを保持する必要がない。
【０１９０】
なお、本実施の形態は、内部メモリ、記憶媒体などの３次元画像のみでなく、ＰＣやネットワーク上のサーバにある３次元画像に対しても適用可能である。また、上記処理を行わせるプログラムを用いることにより、複眼デジタルカメラのみでなく、ＰＣ、画像印刷用の端末等の様々な装置に適用することもできる。
【０１９１】
（３次元画像を編集する場合）
図７は、３次元画像の編集処理の流れを示すフローチャートである。これは、プロテクトフラグが設定された３次元画像を編集可能にする動作モードである編集許可モードにおける処理である。メインＣＰＵ１０は、このフローチャートに沿って制御を行う。なお、この処理は、複眼デジタルカメラ１の設定画面などにおいて、あらかじめ編集許可モードが設定された状態で開始可能となる。以下の説明において、３次元画像の消去処理と同様の処理については、同じ符号を付し、説明を省略する。
【０１９２】
複眼デジタルカメラ１の動作モードが、２次元画像や３次元画像の編集を行う動作モードである編集モードに設定されているかどうかが判断される（ステップＳ７０）。
【０１９３】
編集モードに設定されていない場合（ステップＳ７０でＮＯ）には、処理が終了される。
【０１９４】
編集モードに設定されている場合（ステップＳ７０でＹＥＳ）には、編集したい画像が選択され（ステップＳ５１）、その画像の編集を警告する旨のメッセージが表示される（ステップＳ７１）。画像の選択は、画像表示ＬＣＤ６に編集したい画像が表示された状態で、情報位置指定キーが押下されることによって行われる。また、画像編集の警告は、メインＣＰＵ１０が画像表示ＬＣＤ６にコントローラ３４を介して「この写真を編集してよろしいですか」等の画像編集を伝えるメッセージを、画像に重ねて表示することによって行われる。なお、警告はテキスト表示以外に、音声などを用いてもよい。
【０１９５】
次に、選択された画像が３次元画像であるかどうかが判断される（ステップＳ５３）。選択された画像が３次元画像で無い場合（ステップＳ５３でＮＯ）は、２次元画像を編集するステップ（ステップＳ８１〜Ｓ８５）へ進む。
【０１９６】
選択された画像が３次元画像である場合（ステップＳ５３でＹＥＳ）は、その３次元画像に編集許可フラグが設定されているかどうかを検出する（ステップＳ７２）。編集許可フラグとは、プロテクトフラグが設定された３次元画像を編集可能にする編集許可モードが設定されている場合にのみ設定されるフラグであり、プロテクトフラグが設定されている３次元画像毎に設定されるものである。
【０１９７】
選択された３次元画像に編集許可フラグが設定されているかどうか、すなわちステップＳ７２で編集許可フラグが検出されたかどうかが判断される（ステップＳ７３）。
【０１９８】
編集許可フラグが設定されていない場合（ステップＳ７３でＮＯ）には、編集許可モードが設定されていない、すなわちその３次元画像は編集できないため、画像の編集が不可であることを警告する旨のメッセージが表示され（ステップＳ７４）、処理が終了される。
【０１９９】
編集許可フラグが設定されている場合（ステップＳ７３でＹＥＳ）には、３次元画像の編集を警告する旨のメッセージが表示され（ステップＳ７５）、ユーザーにより編集指令が入力されたかどうかが検出される（ステップＳ７６）。編集指令の入力は、情報位置指定キーが押下されることによって行われる。
【０２００】
編集指令の入力により、画像の編集が可能となったかどうかが判断される（ステップＳ７７）。編集が可能で無い場合（ステップＳ７７でＮＯ）には、再度ユーザーにより編集指令が入力されたかどうかの検出が行われる（ステップＳ７６）。
【０２０１】
画像の編集が可能となった場合（ステップＳ７７でＹＥＳ）には、３次元画像のプロテクトフラグの設定を解除して（ステップＳ６０）、３次元画像の編集処理が行われる（ステップＳ７８）。編集処理は、複数種類の編集内容があらかじめ登録されており、その中から所望の編集内容を情報位置指定キーにより選択し、メニュー／ＯＫを押下することよりその編集内容が実行される。
【０２０２】
編集処理が終了したら、３次元画像のファイルが編集前のファイルから編集後のファイルへ更新され（ステップＳ７９）、更新されたファイルに対して、プロテクトフラグが書き込まれる（ステップＳ８０）。これにより、編集された３次元画像のファイルがプロテクトされる。
【０２０３】
２次元画像を編集するステップ（ステップＳ８１〜Ｓ８５）では、２次元画像の編集を警告する旨のメッセージが表示され（ステップＳ８１）、ユーザーにより編集指令が入力されたかどうかが検出される（ステップＳ８２）。編集指令の入力は、情報位置指定キーが押下されることによって行われる。
【０２０４】
編集指令の入力により、画像の編集が可能となったかどうかが判断される（ステップＳ８３）。編集が可能で無い場合（ステップＳ８３でＮＯ）には、再度ユーザーにより編集指令が入力されたかどうかの検出が行われる（ステップＳ８２）。
【０２０５】
画像の編集が可能となった場合（ステップＳ８３でＹＥＳ）には、２次元画像の編集処理が行われ（ステップＳ８４）、２次元画像のファイルが編集前のファイルから編集後のファイルへ更新される（ステップＳ８５）。編集処理（ステップＳ８４）は３次元画像の編集処理（ステップＳ７８）と同様である。
【０２０６】
上記処理（ステップＳ５１、Ｓ５３、Ｓ７０〜Ｓ８５）が終了したら、全ての処理を終了してもよいし、再度編集処理を行なうようにしてもよいし、撮影モードに自動的に移行するようにしてもよい。
【０２０７】
このように、３次元画像には自動でプロテクトフラグが設定されるので、３次元画像に対応した機器で撮影した３次元画像を２次元画像にのみ対応した機器で編集等を行う場合においても、不用意に３次元画像が消えることがない。
【０２０８】
また、３次元画像の編集を実行する前に警告が行われるため、ユーザーが３次元画像を間違って編集することを防ぐことができる。例えば、プロテクトフラグにより３次元画像を編集禁止にしておけば、ユーザーは注意して別のファイル名で３次元画像をコピーし、コピーした３次元画像に対して編集を行うことができる。これにより、撮影された３次元画像を有効に保護することができる。
【０２０９】
また、編集した３次元画像に対してプロテクトフラグを設定することにより、撮影された３次元画像のみでなく、編集後の３次元ファイルをも保護することができる。
【０２１０】
また、３次元画像に対応した機器が画像の編集を許す設定になっていれば、３次元画像の編集が可能であるので、機器上での画像の編集も可能となる。
【０２１１】
なお、画像の編集が選択されたときは、選択された画像のファイル名に近い別のファイルに画像をコピーして、コピーした画像を編集することもできる。
【０２１２】
また、記録する前に改めて警告を行うようにしてもよい。これにより、間違って編集された３次元画像の記録を防止することができる。
【０２１３】
なお、本実施の形態は、内部メモリ、記憶媒体などの３次元画像のみでなく、ＰＣやネットワーク上のサーバにある３次元画像に対しても適用可能である。また、上記処理を行わせるプログラムを用いることにより、複眼デジタルカメラのみでなく、ＰＣ、画像印刷用の端末等の様々な装置に適用することもできる。
【０２１４】
本発明によれば、３Ｄ／多視点規格に準拠した機器に本発明を対応させるだけで、従来の規格とのコンパチビリティー確保ができるため、３Ｄ／多視点があることにより発生する問題の発生を防止することができる。
【０２１５】
なお、３次元画像は、上述のような複眼デジタルカメラ１で取得する必然性はなく、単眼カメラを用いたモーションステレオ法による連続撮影で取得してもよい。
【符号の説明】
【０２１６】
１：複眼デジタルカメラ、２ａ：第１撮像系、２ｂ：第２撮像系、６：画像表示ＬＣＤ、１０：メインＣＰＵ、３８：メモリカード、５０：縦撮り検出回路、５１：縦撮りフラグ設定回路、５２：プロテクトフラグ設定回路、５３：２Ｄ／３Ｄモード切替フラグ設定回路
【図１】
2011182418.tif 000003
【図２】
2011182418.tif 000004
【図３】
2011182418.tif 000005
【図４】
2011182418.tif 000006
【図５】
2011182418.tif 000007
【図６】
2011182418.tif 000008
【図７】
2011182418.tif 000009
【手続補正書】
【提出日】平成23年4月25日(2011.4.25)
【手続補正１】
【補正対象書類名】特許請求の範囲
【補正対象項目名】全文
【補正方法】変更
【補正の内容】
【特許請求の範囲】
【請求項１】
複数の視点から見た被写体像を撮影する多視点画像撮影モードと、１つの視点から見た被写体像を撮影する１視点画像撮影モードとを切り替える撮影モード切り替え手段と、
前記撮影モード切り替え手段で切り替えられた撮影モードを検出する撮影モード検出手段と、
前記撮影モード切り替え手段で切り替えられた撮影モードで撮影された多視点画像又は１視点画像を取得する撮像手段と、
前記撮像手段で取得された多視点画像又は１視点画像を記録媒体に記録する記録手段と、
前記撮影モード検出手段により前記多視点画像撮影モードが検出された場合には、前記記録手段により記録される多視点画像に対して、前記多視点画像が変更又は削除されないようなプロテクトを設定するプロテクト設定手段と、
を備え、
前記プロテクト設定手段は、前記記録される多視点画像を消去禁止にするための消去禁止フラグと前記記録される多視点画像を編集禁止にするための編集禁止フラグとにより、前記記録される多視点画像に対して消去禁止と編集禁止とを個別に設定可能であることを特徴とする撮像装置。
【請求項２】
前記プロテクト設定手段は、ひとつのフラグにより、前記記録される多視点画像に対して前記多視点画像の消去禁止と編集禁止とを両方設定することも可能であることを特徴とする請求項１に記載の撮像装置。
【請求項３】
前記記録媒体に前記多視点画像を含む画像が記録されている場合において、前記画像の中から選択された所望の画像を消去する消去モードを設定する消去モード設定手段と、
前記消去モードが設定されたかどうかを検出する消去モード検出手段と、
前記消去モード検出手段により前記消去モードが検出された場合において、前記所望の画像が前記多視点画像である場合に、前記多視点画像の消去である旨の警告を行う警告手段と、
前記警告手段で警告を行った後で前記多視点画像の選択が決定された場合には、前記選択された多視点画像に設定された前記プロテクトを解除して消去する消去手段と、
を備えたことを特徴とする請求項１または２に記載の撮像装置。
【請求項４】
前記記録媒体に前記多視点画像を含む画像が記録されている場合において、前記画像の中から選択された所望の画像を編集する編集モードを設定する編集モード設定手段と、
前記編集モードが設定されたかどうかを検出する編集モード検出手段と、
前記編集モード検出手段により前記編集モードが検出された場合において、前記所望の画像が前記多視点画像である場合に、前記多視点画像の編集である旨の警告を行う警告手段と、
前記警告手段で警告を行った後で前記多視点画像の選択が決定された場合には、前記選択された多視点画像に設定された前記プロテクトを解除するプロテクト解除手段と、
前記プロテクト解除手段でプロテクトが解除された多視点画像を編集する編集手段と、
を備え、
前記記録手段は、前記編集手段で編集された多視点画像を記録媒体に記録し、前記プロテクト設定手段は、前記記録手段により記録される前記編集された多視点画像に対して、前記多視点画像が変更又は削除されないようなプロテクトを設定することを特徴とする請求項１から３のうちいずれか１項に記載の撮像装置。
【請求項５】
前記記録手段は、前記編集手段で編集された多視点画像を、再度警告を行った後で前記記録手段に記録することを特徴とする請求項４に記載の撮像装置。
【請求項６】
前記撮像手段は、
被写体像を結像する複数の光学系及び撮像素子を有する複数の撮像系と、
前記撮影モード切り替え手段により多視点画像撮影モードに切り替えられた場合には、前記複数の撮像系を駆動し、前記撮影モード切り替え手段により１視点画像撮影モードに切り替えられた場合には、１つの撮像系を駆動する駆動手段と、
前記駆動手段により前記撮像系の駆動が完了したかどうかを検出する駆動検出手段と、
を備え、
前記撮影モード検出手段で前記多視点画像撮影モードが検出され、かつ前記駆動検出手段で前記複数の撮像系が駆動していないことが検出された場合には、前記撮影モード切り替え手段は、前記多視点画像撮影モードから前記１視点画像撮影モードに切り替えを行うことを特徴とする請求項１から５のうちいずれか１項に記載の撮像装置。
【請求項７】
被写体像を縦撮りする状態であるかどうかを検出する縦撮り検出手段を備え、
前記撮影モード切り替え手段により前記多視点画像撮影モードに切り替えられ、かつ前記縦撮り検出手段により被写体像を縦撮りする状態であることが検出された場合には、前記撮影モード切り替え手段は、前記多視点画像撮影モードから前記１視点画像撮影モードに切り替えることを特徴とする請求項１から６のうちいずれか１項に記載の撮像装置。
【請求項８】
被写体像が記録可能な記録媒体が接続される接続手段と、
前記記録媒体が前記接続手段に接続されたことを検出する検出手段と、
前記検出手段で前記記録媒体の接続が検出された場合には、複数の視点から見た被写体像である多視点画像が前記記録媒体に記録されているかどうかを判断する第１の判断手段と、
前記第１の判断手段で前記多視点画像が記録されていると判断された場合には、前記記録されている多視点画像に対して、前記多視点画像が変更又は削除されないようなプロテクトを設定する第１のプロテクト設定手段と、
を備え、
前記第１のプロテクト設定手段は、前記記録されている多視点画像を消去禁止にするための消去禁止フラグと前記記録されている多視点画像を編集禁止にするための編集禁止フラグとにより、前記記録されている多視点画像に対して編集禁止と消去禁止とを個別に設定可能であることを特徴とする画像再生装置。
【請求項９】
前記第１のプロテクト設定手段は、ひとつのフラグにより、前記記録されている多視点画像に対して前記多視点画像の編集禁止と消去禁止とを両方設定することも可能であることを特徴とする請求項８に記載の画像再生装置。
【請求項１０】
前記検出手段で前記記録媒体の接続が検出された場合には、前記記録媒体に新たな被写体像が記録可能かどうかを判断する第２の判断手段と、
前記第２の判断手段で前記記録媒体に新たな被写体像が記録できないと判断された場合には、前記記録媒体に対して、前記記録媒体に記録された多視点画像又は１視点画像が変更又は削除されないようなプロテクトを設定する第２のプロテクト設定手段と、
を備えたことを特徴とする請求項８または９に記載の画像再生装置。
【請求項１１】
請求項８から１０のうちいずれか１項に記載の画像再生装置を備えたことを特徴とする撮像装置。
【請求項１２】
複数の視点から見た被写体像を撮影する多視点画像撮影モードと、１つの視点から見た被写体像を撮影する１視点画像撮影モードとを切り替えるステップと、
前記切り替えられた撮影モードを検出するステップと、
前記切り替えられた撮影モードで撮影された多視点画像又は１視点画像を取得するステップと、
前記取得された多視点画像又は１視点画像を記録媒体に記録するステップと、
前記撮影モードを検出するステップにおいて多視点画像撮影モードが検出された場合には、前記記録される多視点画像に対して、前記多視点画像が変更又は削除されないようなプロテクトを設定するプロテクト設定ステップと、
を備え、
前記プロテクト設定ステップは、前記記録される多視点画像を消去禁止にする場合には消去禁止フラグを設定し、前記記録される多視点画像を編集禁止にする場合には編集禁止フラグを設定することを特徴とする撮像方法。
【請求項１３】
被写体像が記録可能な記録媒体が接続されるステップと、
前記記録媒体が接続されたことを検出するステップと、
前記記録媒体の接続が検出された場合には、複数の視点から見た被写体像である多視点画像が前記記録媒体に記録されているかどうかを判断するステップと、
前記多視点画像が前記記録媒体に記録されているかどうかを判断するステップにおいて前記多視点画像が記録されていると判断された場合には、前記記録されている多視点画像に対して、前記多視点画像が変更又は削除されないようなプロテクトを設定するプロテクト設定ステップと、
を備え、
前記プロテクト設定ステップは、前記記録されている多視点画像を消去禁止にする場合には消去禁止フラグを設定し、前記記録されている多視点画像を編集禁止にする場合には編集禁止フラグを設定することを特徴とする撮像方法。
【請求項１４】
請求項１２又は１３に記載の撮像方法を演算装置に実行させることを特徴とするプログラム。
【手続補正２】
【補正対象書類名】明細書
【補正対象項目名】００１５
【補正方法】変更
【補正の内容】
【００１５】
一実施形態では、前記記録媒体に前記多視点画像を含む画像が記録されている場合において、前記画像の中から選択された所望の画像を編集する編集モードを設定する編集モード設定手段と、前記編集モードが設定されたかどうかを検出する編集モード検出手段と、前記編集モード検出手段により前記編集モードが検出された場合において、前記所望の画像が前記多視点画像である場合に、前記多視点画像の編集である旨の警告を行う警告手段と、前記警告手段で警告を行った後で前記多視点画像の選択が決定された場合には、前記選択された多視点画像に設定された前記プロテクトを解除するプロテクト解除手段と、前記プロテクト解除手段でプロテクトが解除された多視点画像を編集する編集手段と、を備え、前記記録手段は、前記編集手段で編集された多視点画像を記録媒体に記録し、前記プロテクト設定手段は、前記記録手段により記録される前記編集された多視点画像に対して、前記多視点画像が変更又は削除されないようなプロテクトを設定することを特徴とする。
【手続補正３】
【補正対象書類名】明細書
【補正対象項目名】００２３
【補正方法】変更
【補正の内容】
【００２３】
本発明は、被写体像が記録可能な記録媒体が接続される接続手段と、前記記録媒体が前記接続手段に接続されたことを検出する検出手段と、前記検出手段で前記記録媒体の接続が検出された場合には、複数の視点から見た被写体像である多視点画像が前記記録媒体に記録されているかどうかを判断する第１の判断手段と、前記第１の判断手段で前記多視点画像が記録されていると判断された場合には、前記記録されている多視点画像に対して、前記多視点画像が変更又は削除されないようなプロテクトを設定する第１のプロテクト設定手段と、を備え、前記第１のプロテクト設定手段は、前記記録されている多視点画像を消去禁止にするための消去禁止フラグと前記記録されている多視点画像を編集禁止にするための編集禁止フラグとにより、前記記録されている多視点画像に対して編集禁止と消去禁止とを個別に設定可能であることを特徴とする画像再生装置を提供する。
【手続補正４】
【補正対象書類名】明細書
【補正対象項目名】００２７
【補正方法】変更
【補正の内容】
【００２７】
本発明は、前記画像再生装置を備えたことを特徴とする撮像装置を提供する。
【手続補正５】
【補正対象書類名】明細書
【補正対象項目名】００２９
【補正方法】変更
【補正の内容】
【００２９】
また、本発明は、写体像が記録可能な記録媒体が接続されるステップと、前記記録媒体が接続されたことを検出するステップと、前記記録媒体の接続が検出された場合には、複数の視点から見た被写体像である多視点画像が前記記録媒体に記録されているかどうかを判断するステップと、前記多視点画像が前記記録媒体に記録されているかどうかを判断するステップにおいて前記多視点画像が記録されていると判断された場合には、前記記録されている多視点画像に対して、前記多視点画像が変更又は削除されないようなプロテクトを設定するプロテクト設定ステップと、を備え、前記プロテクト設定ステップは、前記記録されている多視点画像を消去禁止にする場合には消去禁止フラグを設定し、前記記録されている多視点画像を編集禁止にする場合には編集禁止フラグを設定することを特徴とする撮像方法を提供する。